(57)【要約】【課題】太陽電池モジュールの交換などのメンテナンス作業が面倒である。【解決手段】葺設された瓦１、１ａ…の係合突起４を、連結部材３、３ａ…における挿入口１６内に挿通させた後、太陽電池モジュール２、２ａ…を前方へスライドさせて、係合突起４における係止突部５の下方に、連結部材３、３ａ…の基体部７の底板部材７ａにおける挿通口１６の外周部位を位置させると共に、連結部材３、３ａ…の底部に設けた弾性部１７、１７ａ  の復元力により係合突起４の係止突部５と連結部材３、３ａ…における挿入口１６の外周部位を係止し、最前方の弾性部１７における係止片１８を、瓦１、１ａ…の頭側に形成した係止部６に係止して、瓦１、１ａ…上に連結部材３、３ａ…を固定し、桁行方向に長い太陽電池モジュール２、２ａ…を載架、固定して、隣接する太陽電池モジュール２、２ａ…をコードで接続する。瓦１、１ａ…を葺設状態のまま連結部材３、３ａ…、太陽電池モジュール２、２ａ…を外せるため、連結部材３、３ａ…、太陽電池モジュール２、２ａ…の交換などのメンテナンス作業が簡単に行える。【選択図】        図７
2004293192.tif 000002
【特許請求の範囲】
【請求項１】
瓦本体の上面に鉤状の係合突起を一体突設すると共に、該係合突起の上部に係止突部を側方突出させ、瓦本体の上面の頭側部分の下方傾斜面に係止部を形成し、該係止部における頭側面と上面の角部を略直角としたことを特徴とする太陽電池モジュール設置用瓦。
【請求項２】
断面逆門型状の基体部の両側上部より外方へ太陽電池モジュールの受承板部を連続形成し、基体部の両端部より上方へ位置決め板部を立設すると共に、該位置決め板部における基体部の上部より突出した上端部に、内方へ突出する押さえ板部を形成し、基体部の底部に挿入口を形成し、基体部の底部に設けた弾性部の基端部を基体部に一体化すると共に、弾性部の先端部を下方に屈曲して係止片を形成したことを特徴とする太陽電池モジュール設置用連結部材。
【請求項３】
少なくとも一方の位置決め板部を、基体部と一体の固定板部材と、該固定板部材の上部に着脱自在な逆Ｌ型状の押さえ板部材とにより構成したことを特徴とする請求項２記載の太陽電池モジュール設置用連結部材。
【請求項４】
太陽電池モジュールの設置箇所に葺設された請求項１記載の瓦における係合突起を、請求項２又は３記載の連結部材における挿入口に挿通すると共に、連結部材の底部に設けた弾性部の復元力により係合突起の係止突部に連結部材における挿入口の外周部位を係止し、最前方の弾性部における係止片を、瓦の頭側に形成した係止部に係止し、桁行方向に配列された連結部材上に桁行方向に長い太陽電池モジュールを載架、固定したことを特徴とする太陽電池モジュール設置屋根。
【発明の詳細な説明】
【０００１】
【発明の属する技術分野】
本発明は、瓦屋根に太陽電池モジュールを設置するために使用する瓦及び連結部材と、該瓦及び連結部材を使用した太陽電池モジュール設置屋根に関する。
【０００２】
【従来の技術】
従来、瓦屋根に太陽電池モジュールを設置する場合、金属瓦を普通の瓦と混在させると共に、該金属瓦に太陽電池モジュールを固定したり、或いは瓦屋根上に構築した架台に太陽電池モジュールを固定する様にしている。又、瓦自体に太陽電池モジュールを一体化したものも見受けられる。
しかし、前者の場合、規則的に金属瓦を混在させねばならなかったり、瓦葺設後に別途構築する架台用の取付金具を瓦の葺設段階において設置せねばならず、太陽電池モジュールの設置作業が面倒であり、後者の場合、防水機能を具備させるべく太陽電池モジュール用の配線を瓦の下面側へ引き込むため、配線作業が困難であることから、瓦自体に太陽電池モジュールを組み込んで、施工作業性及び配線作業性を向上させたものが見受けられる（例えば、特許文献１参照）。
【０００３】
【特許文献１】
特開２００３−３６１２号公報（第２〜３頁、第１、３図）
【０００４】
【発明が解決しようとする課題】
しかし、上記従来技術にあっては、太陽電池モジュールに不具合が生じた場合、それが固定された瓦を屋根から外して新しい太陽電池モジュール一体型瓦を葺き直さねばならず、メンテナンス作業が困難である等、解決せねばならない課題があった。
【０００５】
【課題を解決するための手段】
本発明は、上記従来技術に基づく、メンテナンス作業が困難な課題に鑑み、太陽電池モジュールの設置箇所に葺設された太陽電池モジュール設置用瓦における係合突起を、桁行方向に長い太陽電池モジュールに対し着脱自在に装着された複数個の連結部材における挿入口内に挿通させた後、太陽電池モジュールを前方（流れ方向の下方側）へスライドさせて、係合突起における係止突部の下方に、連結部材の基体部の底板部材における挿通口の外周部位を位置させると共に、連結部材の底部に設けた弾性部の復元力により、係合突起の係止突部に連結部材における挿入口の外周部位が係止され、弾性部における係止片を、瓦の頭側に形成した係止部に係止して、瓦上に固定され桁行方向に配列された連結部材上に、桁行方向に長い太陽電池モジュールを載架、固定する様にしたことによって、設置作業の容易化を図る様にすると共に、配線作業を、隣接する太陽電池モジュールのコードを単に接続するだけの作業にし、更に太陽電池モジュールを連結部材から外せる様にして、上記課題を解決する。
【０００６】
【発明の実施の形態】
以下本発明の一実施例を図面に基づいて説明する。
図５、６は、本発明に係る瓦１、１ａ…を葺設した瓦屋根の平面の要部拡大図及び図５のＹーＹ断面であり、屋根下地上に葺設された両側方に高所を有する瓦１、１ａ…における、桁行方向に配列された瓦１、１ａ…の上方に、該桁行方向に長い横長矩形状の太陽電池モジュール２、２ａ…を列設し、各太陽電池モジュール２、２ａ…と瓦１、１ａ…間に設けた複数個の連結部材３、３ａ…により、各太陽電池モジュール２、２ａ…を瓦１、１ａ…に連結一体化している。
【０００７】
図１、２は、本発明に係る瓦１、１ａ…の平面図及び正面図であり、該瓦１、１ａ…の上面の低所にして各瓦１、１ａ…の中央付近に鉤型状の係合突起４を突設すると共に、該係合突起４の上部の係止突部５を瓦１、１ａ…の尻側に突出させている。又、各瓦１、１ａ…における上面の頭側部位は頭側端面までの下方傾斜面であるが、上面の頭側部位における略中央部に係止部６を形成して、該係止部６の上面６ａを瓦１、１ａ…の上面における下方傾斜面までの部分と面一にすると共に、頭側面６ｂを上面６ａに対し略垂直としている。
【０００８】
図３、４は、本発明に係る連結部材３、３ａ…の斜視図及び図３のＸーＸ断面図であり、各連結部材３、３ａ…の基体部７を、太陽電池モジュール２、２ａ…の縦幅と略同寸の縦長矩形状の底板部材７ａと、該底板部材７ａの両側部に一体形成した一対の側壁部材７ｂ、７ｃにより断面逆門型状に形成すると共に、側壁部材７ｂ、７ｃの両側上部より外方へ太陽電池モジュール２、２ａ…の受承板部８、８ａを連続形成している。又、基体部７の底部の両端部より上方へ位置決め板部９、９ａを立設すると共に、該位置決め板部９、９ａにおける基体部７の上部より突出した上端部に、内方へ突出する押さえ板部１０、１０ａ  を形成している。そして、受承板部８、８ａと押さえ板部１０、１０ａ  間の寸法を太陽電池モジュール２、２ａ…の厚さより若干広く設定している。
位置決め板部９、９ａにおける少なくとも前方側（葺設状態における流れ方向の下方側）の位置決め板部９を、基体部７の底板部材７ａにおける前端部より上方へ連続形成した固定板部材１１と、該固定板部材１１に対し着脱自在とした逆Ｌ型状の押さえ板部材１２により構成し、該押さえ板部材１２における縦部位１２ａ  の外側面に、縦部位１２ａ  とで固定板部材１１を挟着するクリップ板１３を設けると共に、横部位１２ｂ  を上記押さえ板部１０としている。そして、縦部位１２ａ  及びクリップ板１３間に固定板部材１１を差し込むことで、固定板部材１１に対し押さえ板部材１２を固定する様に成っている。尚、装着状態において、固定板部材１１に形成した孔１４、１４ａ  内に、押さえ板部材１２の縦部位１２ａ  に形成した突起１５、１５ａ  が嵌挿する様に成っている。
基体部７の底板部材７ａの中間部に、各瓦１、１ａ…の係合突起４を遊挿可能な挿入口１６を形成している。
基体部７の底部、即ち底板部材７ａの下部の両端側寄りの部位に板バネである弾性部１７、１７ａ  を設け、該弾性部１７、１７ａ  の基端部を底板部材７ａに一体化すると共に、先端部位を、底板部材７ａと略平行にする様に屈曲している。又、最前方（葺設状態における流れ方向の下方側）の弾性部１７の先端部を下方に屈曲して係止片１８を形成している。尚、弾性部１７、１７ａ  は、底板部材７ａに形成した門型状のスリットの内側部分を適宜屈曲して形成する様にしている。
【０００９】
後方側（葺設状態における流れ方向の上方側）の位置決め板部９ａの外側面に、略Ｌ型板状の配線クリップ１９を設けている。
【００１０】
上記実施例における瓦１、１ａ…にあっては、両側方に高所を有すると共に、低所に係合突起４を形成した平板瓦であるが、かかる形態に限定せず、図示しないが、少なくとも１箇所に高所が有ったり、或いは上面がフラットな平板瓦であっても良い。又、図面上瓦１、１ａ…は平板瓦であるが、和瓦であっても良く、この場合、その谷部に係合突起４を形成する様にしている。
【００１１】
次に、瓦１、１ａ…に対する連結部材３、３ａ…の取付工程及び太陽電池モジュール２、２ａ…の設置工程を図７に基づき説明する。
太陽電池モジュール２、２ａ…に装着された複数個の連結部材３、３ａ…における挿通口１６内を、瓦１、１ａ…における係合突起４を挿通させる過程において、先ず連結部材３、３ａ…における弾性部１７、１７ａ  の先端部が瓦１、１ａ…の上面に当接し、太陽電池モジュール２、２ａ…を下方押圧して弾性部１７、１７ａ  を序々に変形させながら最終的に挿通口１６内に瓦１、１ａ…の係合突起４の上部を挿通させる（図７（ａ）、（ｂ）参照）。
次に、太陽電池モジュール２、２ａ…を前方（流れ方向の下方側）へスライドさせて、係合突起４における係止突部５を、連結部材３、３ａ…の基体部７の底板部材７ａにおける挿通口１６の外周部位の上方に位置させ、前方の弾性部１７の係止片１８の先端が、瓦１、１ａ…における係止部６の上面６ａの頭側端部に至ると、弾性部１７の復元力により係止片１８が係止部６の上面６ａから外れて、係止片１８の内側面が係止部６の頭側面６ｂに当接し、太陽電池モジュール２、２ａ…から手を放すと、弾性部１７、１７ａ  の弾性復元力により連結部材３、３ａ…が上動して、係合突起４における係止突部５の下部に、連結部材３、３ａ…の基体部７の底板部材７ａにおける挿通口１６の外周部位が密接すると共に、前方の弾性部１７の係止片１８が係止部６の上面６ａに密接状態となる（図７（ｃ）参照）。
最後に、隣接する太陽電池モジュール２、２ａ…用の配線コード（図示せず）を接続すると共に、連結部材３、３ａ…における配線クリップ１９内に纏めて掛ける様に収容する。
又、太陽電池モジュール２、２ａ…に連結部材３、３ａ…を装着するには、先ず前方の押さえ板部材１２を外した連結部材３、３ａ…上に太陽電池モジュール２、２ａ…を載架した後、上記押さえ板部材１２を固定板部材１１の上部に取り付ける様にしている。
又、太陽電池モジュール２、２ａ…を、瓦１、１ａ…に固定状態のままの連結部材３、３ａ…から取り外すには、連結部材３、３ａ…における前方の押さえ板部材１２を外した後、太陽電池モジュール２、２ａ…を前方側（流れ方向の下方側）へ引く様にしている（図７（ｄ）参照）。
尚、上記方法においては、連結部材３、３ａ…を装着した太陽電池モジュール２、２ａ…を設置する様にしているが、先ず連結部材３、３ａ…を瓦１、１ａ…に固定した後、太陽電池モジュール２、２ａ…を載架、固定する様にしても良い。
【００１２】
次に本発明に係る瓦屋根における瓦と太陽電池モジュールの連結構造の作用について説明する。
瓦１、１ａ…における係合突起４の係止突部５の下方に、太陽電池モジュール２、２ａ…を固定した連結部材３、３ａ…の基体部７の底板部材７ａにおける挿通口１６の外周部位の上方に位置することから、強風下であっても太陽電池モジュール２、２ａ…が吹き飛ばされない。
更に、連結部材３、３ａ…の弾性部１７、１７ａ  の弾性復元力により、連結部材３、３ａ…の基体部７の底板部材７ａにおける挿通口１６の外周部位が、瓦１、１ａ…の係止突部５の下部に押圧されて、瓦１、１ａ…に対し太陽電池モジュール２、２ａ…が一体化される。
【００１３】
【発明の効果】
要するに本発明は、太陽電池モジュール２、２ａ…の設置箇所に葺設した瓦１、１ａ…における係合突起４を、連結部材３、３ａ…における挿入口１６に挿通したので、葺設状態の瓦１、１ａ…に連結部材３、３ａ…を直接取り付けることが出来るため、瓦１、１ａ…を葺設中に太陽電池モジュール架台用の取付金具などを設置せずに、或いは専用の金属瓦を混在させずに、太陽電池モジュール２、２ａ…を設置することが出来、よって太陽電池モジュール２、２ａ…の設置作業の容易化を図ることが出来、且つ配線作業は隣接する太陽電池モジュール２、２ａ…のコードを単に接続するだけであるため、配線作業の簡略化を図ることが出来る。
而も、連結部材３、３ａ…の底部に設けた弾性部１７、１７ａ  の復元力により係合突起４の係止突部５に連結部材３、３ａ…における挿入口１６の外周部位を係止すると共に、弾性部１７における係止片１８を、瓦１、１ａ…の頭側に形成した係止部６に係止し、桁行方向に配列された連結部材３、３ａ…上に桁行方向に長い太陽電池モジュール２、２ａ…を載架、固定したので、連結部材３、３ａ…から係合突起４の上端部が抜けないため、強風等により太陽電池モジュール２、２ａ…が吹き飛ばず、瓦１、１ａ…と略一体化することが出来る。
更に、弾性部１７、１７ａ  の復元力により、瓦１、１ａ…側の係合突起４における係止突部５の下部に、連結部材３、３ａ…における挿入口１６の外周部位を押圧密着させることが出来るため、瓦１、１ａ…と太陽電池モジュール２、２ａ…の一体性の向上を図ることが出来、耐風機能を具備させることが出来る。
又、連結部材３、３ａ…と太陽電池モジュール２、２ａ…が分離可能であるため、瓦１、１ａ…から連結部材３、３ａ…を外さずに太陽電池モジュール２、２ａ…だけを取り外したり、瓦１、１ａ…を葺設状態のまま連結部材３、３ａ…を取り外すことが出来るため、太陽電池モジュール２、２ａ…、連結部材３、３ａ…の交換等のメンテナンス作業を簡単に行うことが出来る。
【００１４】
断面逆門型状の基体部７の両側上部より外方へ太陽電池モジュール２、２ａ…の受承板部８、８ａを連続形成したので、かかる連結部材３、３ａ…上に太陽電池モジュール２、２ａ…を安定状態で載置することが出来る。
又、基体部７の両端部より上方へ位置決め板部９、９ａを立設すると共に、該位置決め板部９、９ａにおける基体部７の上部より突出した上端部に、内方へ突出する押さえ板部１０、１０ａ  を形成したので、位置決め板部９、９ａにより太陽電池モジュール２、２ａ…の流れ方向へのずれを防止すると共に、受承板部８、８ａと押さえ板部１０、１０ａ  で太陽電池モジュール２、２ａ…を上下挟着することで、連結部材３、３ａ…に対する太陽電池モジュール２、２ａ…の強風による捲れ上がりを防止することが出来る。
又、基体部７の底部に挿入口１６を形成したので、瓦１、１ａ…における係合突起４を挿入口１６を挿通させた後、連結部材３、３ａ…をスライドさせれば、係合突起４における係止突部５が、基体部７における挿入口１６の外周部位の上方に位置して、瓦１、１ａ…に対する連結部材３、３ａ…の上動を規制することが出来るため、連結部材３、３ａ…に対する太陽電池モジュール２、２ａ…の強風による捲れ上がりも防止されていることと相俟って、瓦１、１ａ…、即ち瓦屋根に対し太陽電池モジュール２、２ａ…を一体化することが出来、耐風機能の充実化を図ることが出来、而も設置状態における太陽電池モジュール２、２ａ…だけを交換することを実現出来る。
基体部７の底部に設けた弾性部１７、１７ａ  の基端部を基体部７に一体化したので、連結部材３、３ａ…を瓦１、１ａ…にセットする前後に弾性部１７、１７ａ  を挟入する必要が無いため、連結部材３、３ａ…の装着作業の簡易化を図ることが出来る。又、弾性部１７の先端部を下方に屈曲して係止片１８を形成したので、連結部材３、３ａ…の瓦１、１ａ…に対する位置決めを確実に行うことが出来ると共に、瓦１、１ａ…と連結部材３、３ａ…の一体性が向上するため、耐風機能の更なる充実化を図ることが出来る。又、瓦１、１ａ…に対し連結部材３、３ａ…は着脱自在であるため、瓦１、１ａ…を葺設状態のまま連結部材３、３ａ…だけを交換するなどのメンテナンス作業の簡易化を実現出来る。
【００１５】
受承板部８、８ａと押さえ板部１０、１０ａ  で太陽電池モジュール２、２ａ…を上下挟着することから、そのままでは太陽電池モジュール２、２ａ…を連結部材３、３ａ…から外すことが出来ないが、少なくとも一方の位置決め板部９を、基体部７と一体の固定板部材１１と、該固定板部材１１の上部に着脱自在な逆Ｌ型状の押さえ板部材１２とにより構成したので、該押さえ板部材１２を外せば、連結部材３、３ａ…上から太陽電池モジュール２、２ａ…を取り外すことが出来るため、設置状態における太陽電池モジュール２、２ａ…だけを交換するなどのメンテナンス作業の簡易化を実現出来る等その実用的効果甚だ大である。
【図面の簡単な説明】
【図１】本発明に係る太陽電池モジュール設置用瓦の平面図である。
【図２】図１の正面図である。
【図３】本発明に係る太陽電池モジュール設置用連結部材の斜視図である。
【図４】図３のＸーＸ断面図である。
【図５】太陽電池モジュールを設置した瓦屋根の平面図の要部拡大図である。
【図６】図５のＹーＹ断面図である。
【図７】連結部材の取付過程及び太陽電池モジュールの取り外し方法を示す要部断面図である。
【符号の説明】
１、１ａ…  瓦
２、２ａ…  太陽電池モジュール
３、３ａ…  連結部材
４        係合突起
５        係止突部
６        係止部
７        基体部
８、８ａ    受承板部
９、９ａ    位置決め板部
１０、１０ａ    押さえ板部
１１        固定板部材
１２        押さえ板部材
１６        挿入口
１７、１７ａ    弾性部
１８        係止片
【図１】
2004293192.tif 000003
【図２】
2004293192.tif 000004
【図３】
2004293192.tif 000005
【図４】
2004293192.tif 000006
【図５】
2004293192.tif 000007
【図６】
2004293192.tif 000008
【図７】
2004293192.tif 000009